(57)【要約】      本発明は音響機器支持装置に関することで（が）、音響機器が（に）ＣＨＡＫＴＡＬ可能に取り付けられる本体；前記本体をつまらなくて、折り畳み位置と広げる位置の間で運動可能な複数個の支持レッグを有し、前記複数個の支持レッグの中少なくとも一つは前記音響機器と接続されるスピーカー備える、音響機器支持装置に関するものである。したがって発明によれば比較的小型である携帯用ＭＰ３プレーヤーを支持し接続されることによって幾人が同時にＭＰ３プレーヤーに保存された音響を楽しむことができ、支持台及びスピーカー役割を同時に実現できる音響機器支持装置を提供する効果を持つ。
2008514165.tif 000002
【特許請求の範囲】
【請求項１】
音響機器が取り付けと取り外し可能に取り付けられる本体；
前記本体を支持して、折り畳み位置と広げる位置の間で運動可能な複数個の支持レッグを含んで、
前記複数個の支持レッグの中、少なくともひとつは前記音響機器と接続されるスピーカーを備える、音響機器の支持装置。
【請求項２】
前記複数個の支持レッグは３つの支持レッグから作られ、各々の支持レッグは垂直軸線を中心に放射状の外側から所定の角度に広がるようになる、請求項１に記載の音響機器の支持装置。
【請求項３】
前記３つの支持レッグはそれに対応するスピーカーを各々備える、請求項１に記載の音響機器の支持装置。
【請求項４】
前記本体と前記支持レッグを垂直軸線に沿って本体に対して相対的にスライディング運動可能に結合するための接続手段をさらに備える、請求項２に記載の音響機器支持装置。
【請求項５】
前記本体は音響機器と電気的に接続される接続端子を有し、  この接続端子は本体の上方に突出する、請求項１に記載の音響機器支持装置。
【請求項６】
ＭＰ３プレーヤーが上部に取り外しと取り付けができるよう垂直下方に延長する軸部材を有する本体と；
前記軸部材にその軸線に沿ってスライディング運動可能に嵌め合う挿入部材；
前記挿入部材に回動可能に掛合する上側固定端及び下側自由端を持ち、折り畳み位置と広げる位置の間で回動でき、少なくとも一つのスピーカーを有する、複数の支持レッグを備える、ＭＰ３プレーヤー支持装置。
【請求項７】
前記複数個の支持レッグは前記前記折り畳み位置では前記軸部材と平行するように置かれて前記広げる位置では、前記軸部材の軸線に対して所定の角度に広がる、請求項６に記載のＭＰ３プレーヤー支持装置。
【請求項８】
前記各々の支持レッグを前記挿入部材に回動可能に連結するヒンジ手段をさらに備える、請求項６に記載のＭＰ３プレーヤー支持装置。
【請求項９】
前記ヒンジ手段は前記挿入部材に大抵等間隔に形成される複数のピンホールと前記各々の支持レッグに一体に取り付けられ前記スロットに係り合うフィンからなる、請求項８に記載のＭＰ３プレーヤー支持装置。
【請求項１０】
前記ピンホールは前記フィンが前記軸部材の軸線に対して放射状の内側及び外側に運動できるように配向されたスロットを含む、請求項９に記載のＭＰ３プレーヤー支持装置。
【請求項１１】
前記軸部材の外周面には所定間隔で突起が形成され、前記挿入部材の内周面には前記突起を受け入れる受入溝が形成されて、前記挿入部材が前記軸部材に沿ってスライディング移動する場合、ステップ別に移動と停止が可能である、請求項６に記載のＭＰ３プレーヤー支持装置。
【請求項１２】
前記各々の支持レッグの自由端は前記支持レッグが完全に広がる場合地面と密着できるように扁平になる、請求項６に記載のＭＰ３プレーヤー支持装置。
【請求項１３】
各々の支持レッグはその自由端に取り付けられる緩衝部材を備える、請求項６に記載のＭＰ３プレーヤー支持装置。
【請求項１４】
前記本体は前記軸部材の軸線に平行して下方に延長する複数のガイド突起を備え、前記各々の支持レッグの上側固定端両側には対称形の切欠き部（ｃｕｔｏｕｔ）が備えられ、互いに隣接した支持レッグの切欠き部は前記ガイド突起を覆いかぶせる形状と大きさを有する、請求項６に記載のＭＰ３プレーヤー支持装置。
【請求項１５】
前記本体は音響機器との電気的接続のために接続端子を備え、ＭＰ３プレーヤーが本体に取り付けされない場合、前記接続端子を保護するように本体にかぶせるカバーをさらに備える、請求項６に記載のＭＰ３プレーヤー支持装置。
【請求項１６】
前記軸部材の下段には前記挿入部材の離脱を防止するストッパを備える、請求項６に記載のＭＰ３プレーヤー支持装置。
【発明の詳細な説明】
【技術分野】      本発明は音響機器の支持装置に関するものである。より具体的に本発明は音響機器が取り外しと取り付けが可能な本体と前記本体を支持し、折り畳み位置と広げる位置の間で移動可能な複数の支持レッグを含んで、上記の複数の支持レッグの中少なくともひとつは上記音響機器と接続されるスピーカーを備える音響機器の支持装置に関するものである。
また本発明に係る実施例として、比較的に小型で携帯に便利なＭＰ３プレーヤーに多数の人が同時に接続し、ＭＰ３プレーヤーに保存された音響を楽しむことができ、ＭＰ３プレーヤーに繋げた後、ＭＰ３プレーヤーの支持台の役割も可能なＭＰ３プレーヤー支持装置に関するものである。
【背景技術】      ＭＰ３とはＭＰＥＧ  ｌａｙｅｒ３の略語で圧縮比が１２：１のオーディオコーデックの一形態である。そしてＭＰ３ファイルは一般のウェーブファイルに比べて大きさが１０分の１でありながら、ＣＤ水準の音質（１６ｂｉｔｓ、４４。１ｋＨｚ）を実現できるオーディオファイルフォーマットをいう。
ＭＰＥＧオーディオは圧縮比によって階層１は４：１、階層２は８：１、階層３は１２：１で交わしている。
ＭＰ３プレーヤーとはユーザが聴取できるようにＭＰ３ファイルを音響で出力できる装置である。そして上記ＭＰ３プレーヤーは携帯しやすくするために小型で製造することが一般的であり、大体スピーカーが装着されない状態で製造されるので、ユーザらはイヤホンまたはヘッドセットなどを通して出力される音響を聴取できる。
結局、スピーカーを通して外部に音響を出力出来なくて、一つのＭＰ３プレーヤーを通し多数の人々が同時にその音響を聴取出来ない問題点がある。
また、ＭＰ３プレーヤーは携帯しやすくするために小型で製造されるので、当然その機器を支持する支持装置が備わらない場合がほとんどであるから、スピーカーに連結して多数の人が音響を聴取したい場合、ＭＰ３プレーヤーを支持台の上に支持する装置が必要になる。
【発明の詳細な説明】
【技術的課題】
したがって、本発明は上述した問題点を解決するためになされたものであって、第１に、音響機器を支持して、スピーカーを通して音響を外部に出力できる音響機器の支持装置を提供することを目的としている。
また本発明は、第２に、ＭＰ３プレーヤーのような小型音響機器を支持するである。けでなく、多数の人が同時に音響を聴取できるＭＰ３プレーヤー支持装置を提供することを目的としている。
【技術的解決方法】
上記の目的を達成するために、本発明は音響機器の取り外しと取り付けが可能な本体と、前記本体を支持して、折り畳み位置と広げる位置の間で移動可能な複数の支持レッグを含んで、前記複数の支持レッグの中で少なくともひとつは上記音響機器と接続出来るスピーカーを備える、音響機器支持装置を提供する。
また、本発明の一実施例としてＭＰ３プレーヤーが上部に取り外しと取り付けができるよう垂直下方に延長する軸部材を有する本体と、前記軸部材にその軸線に沿ってスライディング運動可能に嵌め合う挿入部材と、前記挿入部材に回動可能に掛合する上側固定端及び下側自由端を持ち、折り畳み位置と広げる位置の間で回動でき、少なくとも一つのスピーカーを有する、複数の支持レッグを備える、ＭＰ３プレーヤー支持装置を提供する。
前記音響機器は従来のＣＤＰ（Ｃｏｍｐａｃｔ  Ｄｉｓｋ  Ｐｌａｙｅｒ）、ＭＰ３Ｐ、ＭＤＰ（Ｍｉｎｉ  Ｄｉｓｋ  Ｐｌａｙｅｒ）などを含むデジタル音響媒体プレーヤーである。けでなく、アナログで実現される多様な種類の音楽媒体プレーヤーを含む。前記複数の支持レッグは３つの支持レッグで構成なされて、各々の支持レッグは垂直軸線を中心に放射状の外側で所定の角度に広がるようになる。
前記３つの支持レッグはそれに対応するスピーカーを各々備える。
前記本体と前記支持レッグを垂直軸線に沿って本体に対して相対的にスライディング運動が可能になるよう係り合うために接続手段をさらに備える。
前記本体は音響機器と電気的に接続される接続端子を持ち、この接続端子は本体の上方に突出する。
また、前記ＭＰ３プレーヤー支持装置において前記複数の支持レッグは前記折り畳み位置では前記軸部材と平行するように置かれて前記広げる位置では、前記軸部材の軸線に対して所定の角度に広がる。
そして前記各々の支持レッグを前記挿入部材に回動可能に連結するヒンジ手段をさらに備える。前記ヒンジ手段は前記挿入部材に大抵等間隔に形成される複数のピンホールと前記各々の支持レッグに一体に取り付けられ前記スロットに係り合うフィンからなる。前記ピンホールは前記フィンが前記軸部材の軸線に対して放射状の内側及び外側に運動できるように配向されたスロットを含む。
これに加えて、前記軸部材の外周面には所定間隔で突起が形成され、前記挿入部材の内周面には前記突起を受け入れる受入溝が形成されて、前記挿入部材が前記軸部材に沿ってスライディング移動する場合、ステップ別に移動と停止が可能である。
前記各々の支持レッグの自由端は前記支持レッグが完全に広がる場合地面と密着できるように扁平になることが望ましく、前記各々の支持レッグはその自由端に取り付けられる緩衝部材を備えることが好ましい。
そして、前記本体は前記軸部材の軸線に平行するように下方に延長する複数のガイド突起を備え、前記各々の支持レッグの上側固定端両側には対称形の切欠き部（ｃｕｔｏｕｔ）が備えられ、互いに隣接した支持レッグの切欠き部は前記ガイド突起を覆いかぶせる形状と大きさを有する。
また、前記本体は音響機器との電気的接続のために接続端子を備え、ＭＰ３プレーヤーが本体に取り付けされない場合、前記接続端子を保護するように本体にかぶせるカバーをさらに備える。
【発明の効果】
上述したように本発明によれば音響機器を支持して、スピーカーを通した音響を外部に出力できる音響機器の支持装置を提供することにより、ＭＰ３プレーヤーの支持装置は多数の人が同時にＭＰ３プレーヤーで出力される音響を聴取することができ、一つのＭＰ３プレーヤーで多数の人が音響を聴取できるＭＰ３支持装置を提供する効果を持つ。
また、本発明によるＭＰ３プレーヤー支持装置はＭＰ３プレーヤーを所定の位置に支持して使用することができ、広場などのような野外でも便利にＭＰ３プレーヤーを使用することができ、ユーザらに便利さを提供する効果を持つ。
【図面の簡単な説明】      図１は本発明の実施例によるＭＰ３支持装置を概略的に表した斜視図である。
図２は図１の複数の支持レッグが開放された状態を概略的に表した平面図である。
図３は図１の支持レッグを概略的に表した構成図である。
図４は図１の支持装置とＭＰ３プレーヤーに接続された状態を概略的に表した斜視図である。
図５は図１の支持装置とＭＰ３プレーヤーの接続部位を概略的に表した拡大状態図である。
図６は図１の支持装置で接続部位にカバーを嵌めた状態を概略的に表した斜視図である。
図７は図１の支持レッグが開放される動作を概略的に表した使用状態図である。
【発明実施のための最善の形態】
以下、添付された図１、または図７を参照してみた発明の好ましい実施例を詳細に説明する。
図１は本発明によるＭＰ３プレーヤー支持装置を概略的に表した斜視図である。
図１に示した通り、本発明によるＭＰ３プレーヤー支持装置は、本体（１００）、挿入部材（１６０）及び複数個の支持レッグ（２００）を含む。取り外しと取り付けが出来るよう垂直下方に延長する軸部材（１５０）を有する本体と、前記軸部材（１５０）は軸部材（１５０）にその軸線に沿ってスライディング運動可能に嵌合され、前記複数の支持レッグ（２００）は挿入部材（１６０）に回動可能に係り合う上側固定端及び下側自由端を持ち、折り畳み位置と広げる位置の間で回動でき、少なくとも一つのスピーカーを備える。また前記本体（１００）の上面に備えられ、ＭＰ３プレーヤー（６００）と接続させる接続端子（３００）；及び前記接続端子（３００）と前記支持レッグ（２００）を接続させる接続手段（未図示）を含む。
前記支持レッグ（２００）は初期状態で各々前記本体（１００）の長さの方向に平行に位置して、前記本体（１００）の下方から上方へ回転しながら前記本体（１００）の周縁方向に所定角度広がる。
前記本体（１００）の形状は音響機器またはＭＰ３プレーヤーの形状によって多様に提供になることができ、特別に限定されないが、本実施例では概略円柱形状に形成される。すなわち、所定半径及び所定の長さを持つようになり、その上面と下面とが扁平になる。
前記接続端子（３００）は前記本体（１００）の上面に備えられるが、本実施例では前記本体（１００）の上方に突出した形状をう有するフィンタイプの接続端子（３００）が備えられる。また、前記接続端子（３００）は前記ＭＰ３プレーヤー（６００）の所定部位に備えられたホール型の接続端子に嵌められ、前記支持レッグ（２００）とＭＰ３プレーヤー（６００）を接続させる。
前記支持レッグ（２００）は複数個で実現されることができるが、三角形の安定した支持構造をなすために、三つが備えられることが好ましい。また前記支持レッグに備えられるスピーカーはひとつ以上備えられることができ、三つの支持レッグが備えられる場合、各々にスピーカーが備えられることが好ましい。
また、前記支持レッグ（２００）の上部両側には前記支持レッグ（２００）の広げる位置を制限する結合手段を備える。
前記結合手段は複数の連結部材（４００）及びフィン（４１０）を含む。また前記連結部材（４００）の一端は前記支持レッグ（２００）に係合され、内部にピンホールが形成されて、前記支持レッグ（２００）の間で互い交差する方向に配置される。また前記フィン（４１０）はピンホールを通し前記複数の連結部材（４００）を係合する。
前記連結部材（４００）は所定形状のプレート形状に出来ることが好ましい。
一つの支持レッグ（２００）の一側上部に備えられた一つの連結部材（４００）とそれに対向する他の支持レッグ（２００）の一側上部に備えられた他の連結部材（４００）の一段は前記支持レッグ（２００）に係合した状態で、互い交差する方向に配置されるが、この時、前記連結部材（４００）の内部に形成されたピンホールが互いに重なるように配置されることが好ましい。
そして前記ピンホールにフィン（４１０）が嵌め込まれによって前記支持レッグ（２００）の動きが制限される。そして前記ピンホールは前記フィンが前記軸部材の軸線に対して放射状内側及び外側に運動できるように配向されたスロットを含む。
そして前記スロットにより前記支持レッグ（２００）がある程度放射状に動いた後、その動きが制限される構造をなす。    したがって、前記ピンホールは前記フィン（４１０）の外径より大きくなるのが好ましい。
前記接続手段は前記接続端子（３００）と支持レッグ（２００）を接続させて、前記ＭＰ３プレーヤー（６００）から伝えられた電気信号を前記支持レッグ（２００）のスピーカーに伝える。
前記接続手段は軟性回路基板または軟性ケーブルで作られるのが好ましい。
図２は図１の支持レッグが開放された状態を概略的に示した平面図である。
図２に示した通り、前記複数個の支持レッグ（２００）は放射状の同じ距離で配置されることが望ましく、放射状にある程度広がった後、前記結合手段によりその動きが制限される構造をなす。
図３は図１の支持レッグを概略的に表した構成図である。
図３は前記支持レッグ（２００）の間を結合する連結部材（４００）及びフィン（４１０）を含む結合手段を省略した図面を表したもので、一つの支持レッグ（２００）が回転動作された状態を表したものである。
図３に示した通り、前記本体（１００）の下段中央には前記本体（１００）より小さな半径を持つ軸部材（１５０）が結びついて、前記軸部材（１５０）の長さの方向に移動可能なように結びつき挿入部材（１６０）が備えられる。
前記軸部材（１５０）と挿入部材（１６０）は強制圧入方式により係合される。そして前記支持レッグ（２００）を開放させるために前記支持レッグ（２００）を前記本体（１００）の下方へ移動させる場合、前記挿入部材（１６０）が前記軸部材（１５０）の外周面に沿って所定距離を移動する。  また前記軸部材（１５０）の外周部には所定の間隔で突起（未図示）を形成させて、前記挿入部材（１６０）の内周部には前記突起を受け入れる受入溝（未図示）が形成され、前記挿入部材（１６０）が前記軸部材（１５０）に沿ってスライディング移動する場合、ステップ別に移動と停止が可能になる。
また、前記軸部材（１５０）の下段部は前記軸部材（１５０）の断面より大きい断面で作られ、前記挿入部材（１６０）の離脱を防止することが好ましい。前記軸部材の下段には前記挿入部材の離脱を防止するストッパを備える。
また、前記挿入部材（１６０）は中心部が空いた中空の形状で作られた部材として、前記挿入部材（１６０）の内周部は前記軸部材（１５０）の外周部形状に対応になるように作られることが望ましくて、その外周部は前記支持レッグ（２００）が係り合うための空間を提供しなければならないので、正三角形の形状で作られることが好ましい。
しかし、前記挿入部材（１６０）の外周部は正三角形の形状に限定されないで、図３と共に、別の突出部（１６１）を持ち、前記突出部（１６１）に前記支持レッグ（２００）がヒンジ結合構造で作ることができる。
この場合、前記突出部（１６１）は前記支持レッグ（２００）の数に対応になるように形成されて、放射状等間隔でなり、前記支持レッグ（２００）の配置が放射状等間隔でなるように構成されなければならない。
前記支持レッグ（２００）の底面は前記支持レッグ（２００）が完全に広まった後、支持される底と完全に密着できるように扁平に出来る。
また、前記支持レッグ（２００）の底面には支持される底との衝突によるスピーカー（２００）の損傷を防止する緩衝部材（未図示）がより備えられることができる。
前記緩衝部材は所定の弾性を持つゴムまたは合成樹脂で作られたことが望ましくて、それ以外プラスチック素材なども可能である。
図４は図１の支持レッグとＭＰ３プレーヤーが接続された状態を概略的に表した斜視図であり、図５は図１の支持レッグとＭＰ３プレーヤーの接続部位を表した拡大状態図である。
本実施例でのＭＰ３プレーヤー（６００）は円柱の形状に作られているが、この形状に限定されないで、前記接続端子（３００）を通し前記本体（１００）に係合されることができるように対応になるホール型の接続端子が備えられたことであればどれも適用可能である。
図４及び図５を参照すれば、前記ＭＰ３プレーヤー（６００）の下段にホール型の接続端子が備えられるので、前記ＭＰ３プレーヤー（６００）は長さの方向から前記本体（１００）に結びつく。
また、ある一つの支持レッグ（２００）の一側上部には切欠き部（ｃｕｔｏｕｔ）が作られて、それと対向する他の支持レッグ（２００）の一側上部には前記溝に対応されるように対称形の切欠き部が備えられる。また前記本体（１００）の一側下方から前記切欠き部に対応し、軸部材の軸線に平行に下方に延長するガイド突起（５００）が備えられ、互いに隣接した支持レッグの切欠き部は前記ガイド突起を覆いかぶせる形状及び大きさを持って、前記支持レッグ（２００）が前記軸部材（１５０）の外周面に沿って、下へ移動する時、前記ガイド突起（５００）により前記支持レッグ（２００）に案内される。
図６は図１の支持レッグの接続部位にカバーを入れた状態を概略的に表した斜視図である。
図６に表した通り、前記接続端子（３００）にＭＰ３プレーヤー（６００）が接続されてない場合、前記接続端子（３００）の損傷を防止するために、外部環境と前記の接続端子（３００）を遮るキャップ形状のカバー（７００）が備えられる。
前記カバー（７００）は前記本体（１００）の外周部に嵌められ、前記の接続端子（３００）及び前記本体（１００）の外周部の一部を被せて保護する。
図７は図１の支持レッグが開放される動作を表した概略的な使用状態図である。
図７を参照して、本発明のＭＰ３プレーヤー支持装置の開放動作を説明すれば次の通りになる。
初期状態で前記支持レッグ（２００）は前記本体（１００）の長さの方向と平行するように位置され、この場合前記支持レッグ（２００）は三つが集まり大体に円柱の形状をなしている。
その開放のために、まず第１ステップのように前記支持レッグ（２００）を前記本体（１００）の下方の方に引っ張れば、前記軸部材（１５０）の長さの方向へ前記挿入部材（１６０）が移動しながら、前記支持レッグ（２００）は下の方向へ引っ張られ第２ステップの形態に変わる。
その次に第３ステップで前記支持レッグ（２００）を放射状に広げれば、第４ステップと共に前記支持レッグ（２００）は放射状に広がるようになり、前記結合手段によりその動きが制限される。
完全に広まった状態で、前記支持レッグ（２００）の底面は底と密着され、安定した支持構造になる。
前記支持レッグ（２００）を全部使用した後、元の位置に戻せる場合は、前記動作と反対の順番で出来ることは明らかなことた。
前記のような構成で出来た本発明のＭＰ３プレーヤーの支持装置はＭＰ３プレーヤー（６００）から出力される音響を同時に多数の人が支持レッグ（２００）に備えられたスピーカーを通し楽しむことができて、ＭＰ３プレーヤー（６００）の支持台の役割も可能で、野外や机など平な面の底がある所であれば、どこでもＭＰ３プレーヤー（６００）を据え置きさせて使用することが可能である。。
以上で説明した本発明は前述した実施例及び添付された図面により限定されるのでなくて、本発明の技術的思想を抜け出さない範囲の内で色々な置換、変形及び変更が可能である。ということが本発明が属する技術分野で通常の知識を持った者にあっては明白なことである。。
【図１】
2008514165.tif 000003
【図２】
2008514165.tif 000004
【図３】
2008514165.tif 000005
【図４】
2008514165.tif 000006
【図５】
2008514165.tif 000007
【図６】
2008514165.tif 000008
【図７】
2008514165.tif 000009
【国際調査報告】
2008514165.tif 000010